(57)【特許請求の範囲】
【請求項１】
建築物の出隅部または入隅部を覆う建築物装飾品であって、
正面視及び側面視が略矩形で平面視が略Ｌ字状に形成された煉瓦部、及び複数の前記煉瓦部の間に前記煉瓦部より窪んで形成される目地部を有して構成され、
前記煉瓦部及び前記目地部は、全面に形成された茶色着色ゲルコート樹脂層、該茶色着色ゲルコート樹脂層の内側に形成されたゲルコート樹脂層、及び該ゲルコート樹脂層の内側に形成された強化繊維樹脂層を具備し、
前記煉瓦部は、前記茶色着色ゲルコート樹脂層の外側に、前記茶色着色ゲルコート樹脂層と異なる複数色の着色ゲルコート樹脂により部分的に形成された煉瓦部着色ゲルコート樹脂層を更に具備し、
前記目地部は、前記茶色着色ゲルコート樹脂層の外側に、前記茶色着色ゲルコート樹脂層と異なる色の着色ゲルコート樹脂により形成された目地部着色ゲルコート樹脂層を更に具備する
ことを特徴とする建築物装飾品。
【請求項２】
平面視略Ｌ字状に形成された煉瓦部、及び複数の前記煉瓦部の間に前記煉瓦部より窪んで形成される目地部を有して構成される建築物装飾品の形状を原型とするゴム製の成形型を作成する成形型作成工程と、
前記成形型の前記目地部に相当する部分に着色ゲルコート樹脂を塗布して目地部着色ゲルコート樹脂層を形成する目地部着色ゲルコート樹脂層形成工程と、
前記成形型の前記煉瓦部に相当する部分に複数の着色ゲルコート樹脂を部分的に塗布して煉瓦部着色ゲルコート樹脂層を形成する煉瓦部着色ゲルコート樹脂層形成工程と、
前記目地部着色ゲルコート樹脂層及び前記煉瓦部着色ゲルコート樹脂層の上に、前記成形型の全面に茶色の着色ゲルコート樹脂を塗布し茶色着色ゲルコート樹脂層を形成する茶色着色ゲルコート樹脂層形成工程と、
前記茶色着色ゲルコー樹脂層の上にゲルコート樹脂を積層してゲルコート樹脂層を形成するゲルコート樹脂層形成工程と、
前記ゲルコート樹脂層の上に強化繊維樹脂を積層させる強化繊維樹脂積層工程とを順次行うことにより、建築物の出隅部または入隅部を覆う建築物装飾品を製造することを特徴とする請求項１に記載の建築物装飾品の製造方法。
【発明の詳細な説明】
【０００１】
【発明の属する技術分野】
本発明は、建築物装飾品とその製造方法に関するものであり、特に、建築物の出隅部または入隅部を覆う建築物装飾品とその製造方法に関するものである。
【０００２】
【従来の技術】
従来より、建築物の出隅部や入隅部の外装をする場合、例えば、実際に煉瓦等を積み上げたり、防腐処理を施した木材を用いたり、あるいは、セメント系無機質材料をＬ字型に押し出し成形したパネルを貼り付けたりしている。
【０００３】
【発明が解決しようとする課題】
しかしながら、上記従来技術は次のような問題点を有していた。実際に煉瓦等を積み上げる工法では、施工に手間がかかる上に、煉瓦等の材料に多大なコストがかかった。木材を防腐処理して用いる工法では、板状の二枚の木材同士を突き合わせる部分において、体裁よく突き合わせて固定する作業は非常に手間がかかった。さらに、セメント系無機質材料をＬ字型に押し出し成形したパネルを用いる工法では、表面に天然石調、木目調、又は煉瓦目地などの複雑な意匠を有するものを作成することは困難であった。
【０００４】
そこで、本発明は上記の実情を鑑み、耐久性に優れ、低コストで、しかも施工に手間のかからない工法で、建築物の出隅部または入隅部を飾ることが可能な建築物装飾品とその製造方法の提供を課題とするものである。
【０００５】
【課題を解決するための手段】
本発明にかかる建築物装飾品は、「建築物の出隅部または入隅部を覆う建築物装飾品であって、正面視及び側面視が略矩形で平面視が略Ｌ字状に形成された煉瓦部、及び複数の前記煉瓦部の間に前記煉瓦部より窪んで形成される目地部を有して構成され、前記煉瓦部及び前記目地部は、全面に形成された茶色着色ゲルコート樹脂層、該茶色着色ゲルコート樹脂層の内側に形成されたゲルコート樹脂層、及び該ゲルコート樹脂層の内側に形成された強化繊維樹脂層を具備し、前記煉瓦部は、前記茶色着色ゲルコート樹脂層の外側に、前記茶色着色ゲルコート樹脂層と異なる複数色の着色ゲルコート樹脂により部分的に形成された煉瓦部着色ゲルコート樹脂層を更に具備し、前記目地部は、前記茶色着色ゲルコート樹脂層の外側に、前記茶色着色ゲルコート樹脂層と異なる色の着色ゲルコート樹脂により形成された目地部着色ゲルコート樹脂層を更に具備する」ものである。
【０００６】
ここで、着色ゲルコート樹脂層及び強化繊維樹脂層に用いられる樹脂としては、ＦＲＰ成形品分野で一般的に用いられる樹脂、例えば、不飽和ポリエステル樹脂、ビニルエステル樹脂、エポキシ樹脂、フェノール樹脂、又はジアリルフタレート樹脂等が挙げられる。さらに、強化繊維樹脂層に用いられる強化繊維としては、例えば、ガラス繊維、炭素繊維、高分子繊維、又はセラミック繊維などが挙げられるが、性能及びコストの面から、ガラス繊維を用いるのが好ましい。
【０００７】
したがって、本発明の建築物装飾品によれば、着色ゲルコート樹脂層によって、表面の色が互いに異なる二種類以上の着色ゲルコート樹脂で配色される。又、強化繊維が露出して表面が乱れることがない。さらに、強化繊維樹脂層によって、外装としての強度が向上する。
【０００８】
また、本発明にかかる建築物装飾品は、煉瓦部及び目地部には全面に茶色着色ゲルコート樹脂層が形成され、煉瓦部には茶色着色ゲルコート樹脂層の外側に、茶色着色ゲルコート樹脂層と異なる複数色の着色ゲルコート樹脂により煉瓦部着色ゲルコート樹脂層が部分的に形成され、目地部には茶色着色ゲルコート樹脂層の外側に、茶色着色ゲルコート樹脂層と異なる色の着色ゲルコート樹脂により目地部着色ゲルコート樹脂層が形成されることにより、表面が煉瓦模様に表されているものである。
【００１１】
次に、本発明にかかる建築物装飾品の製造方法は、「平面視略Ｌ字状に形成された煉瓦部、及び複数の前記煉瓦部の間に前記煉瓦部より窪んで形成される目地部を有して構成される建築物装飾品の形状を原型とするゴム製の成形型を作成する成形型作成工程と、前記成形型の前記目地部に相当する部分に着色ゲルコート樹脂を塗布して目地部着色ゲルコート樹脂層を形成する目地部着色ゲルコート樹脂層形成工程と、前記成形型の前記煉瓦部に相当する部分に複数の着色ゲルコート樹脂を部分的に塗布して煉瓦部着色ゲルコート樹脂層を形成する煉瓦部着色ゲルコート樹脂層形成工程と、前記目地部着色ゲルコート樹脂層及び前記煉瓦部着色ゲルコート樹脂層の上に、前記成形型の全面に茶色の着色ゲルコート樹脂を塗布し茶色着色ゲルコート樹脂層を形成する茶色着色ゲルコート樹脂層形成工程と、前記茶色着色ゲルコー樹脂層の上にゲルコート樹脂を積層してゲルコート樹脂層を形成するゲルコート樹脂層形成工程と、前記ゲルコート樹脂層の上に強化繊維樹脂を積層させる強化繊維樹脂積層工程とを順次行うことにより、建築物の出隅部または入隅部を覆う建築物装飾品を製造する」ものである。
【００１３】
【発明の実施の形態】
以下、本発明の一実施形態である建築物装飾品とその製造方法について、図１乃至図３に基づき説明する。図１は本発明の一実施形態である建築物装飾品の構成を示す斜視図である。図２は本発明の一実施形態である建築物装飾品の要部の構成を示す断面図である。図３は本発明の一実施形態である建築物装飾品の製造方法を示す説明図である。本実施形態の建築物装飾品１は、建築物の出隅部を覆うために設けられたものであり、表面が煉瓦模様２に成形され、色が互いに異なる複数種類の着色ゲルコート樹脂からなる着色ゲルコート樹脂層３と、着色ゲルコート樹脂層３の内側に積層されたゲルコート樹脂層４と、ゲルコート樹脂層４の内側に積層され強化繊維を有する強化繊維樹脂層５とを具備している。
【００１４】
表面の煉瓦模様２は、建築物装飾品１を建築物の出隅部に取付けた際に、出隅部を実物の煉瓦を積み上げたように装飾するため成形されたもので、煉瓦部６と、目地部７とを備えている。表面の着色ゲルコート樹脂層３の着色ゲルコート樹脂によって配色が施されており、煉瓦部６は全体的に茶色の着色ゲルコート樹脂３ａと、部分的にこげ茶色の着色ゲルコート樹脂３ｂや白色の着色ゲルコート樹脂３ｃとが表面に設けられており、目地部７は、灰色の着色ゲルコート樹脂３ｄが表面に設けられている。ただし、この配色については特に限定されるものではなく、成形時に煉瓦模様２に合わせて様々な配色が可能である。尚、実際に煉瓦を積み上げた場合と同様、煉瓦部６が目地部７に対して凸になるように成形されている。ここで、煉瓦模様２が本発明の建築資材模様に相当する。
【００１５】
着色ゲルコート樹脂層３、ゲルコート樹脂層４、及び強化繊維樹脂層５に用いられる樹脂としては、成形時の作業性やコストの点から不飽和ポリエステル樹脂を使用している。ただし、ＦＲＰ成形品分野で一般的に用いられる樹脂、例えば、ビニルエステル樹脂、エポキシ樹脂、フェノール樹脂、又はジアリルフタレート樹脂等を適宜に使用してもよい。各層の厚みは、特に限定されるものではないが、着色ゲルコート樹脂層３が約０．３ｍｍ、ゲルコート樹脂層４が約０．５ｍｍ、強化繊維樹脂層５が約１．５ｍｍになるように成形されている。
【００１６】
着色ゲルコート樹脂は、着色剤が混入されることによって、それぞれ所望の色を出している。着色剤としては耐候性の点から無機顔料を用いている。ただし、有機顔料や、着色ゲルコート樹脂としてフェノール樹脂を用いる場合には染料を使用してもよい。又、各樹脂層には、製品としての品質を向上させるために、各種の充てん剤が適宜加えられている。例えば、炭酸カルシウムを加えることで変形やクラックを防いだり、水酸化アルミニウム、三酸化アンチモン、又は塩素化パラフィン等を加えることで耐燃焼性を向上させたり、ウォラストナイト、マイカ等を加えることで剛性を向上させている。ゲルコート樹脂層４は、強化繊維樹脂層５の強化繊維が露出して表面が乱れるのを防ぐために設けられたもので、強度的な欠陥にならない程度の薄い樹脂の層であり、着色ゲルコート樹脂層３と異なり無機顔料は加えれていない。さらに、強化繊維樹脂層５に用いられる強化繊維としては、性能やコストの点から、ガラス繊維を使用している。ただし、炭素繊維、アラミドなどの高分子繊維、又は、ボロン、アルミナ、炭化けい素などのセラミックス繊維を使用することも可能である。強化繊維樹脂層５中の強化繊維の含有量は、成形時の作業性や性能の点から、２０〜５０質量％が好ましい。
【００１７】
次に、本実施形態の建築物装飾品１の製造方法について、図３に示す説明図に基づいて説明する。原型に基づいてシリコンゴム製とＦＲＰ製の成形型を作成した後、シリコンゴム製の成形型をＦＲＰ製の成形型で受けて、シリコンゴム製の成形型から建築物装飾品１を成形する。先ず、シリコンゴム製の成形型の表面に澱粉系の離型剤を塗布し（ステップＳ１）、所望の色を出すための顔料を加えた数種類の着色ゲルコート樹脂をシリコンゴム製の成形型に順次塗布する。詳しくは、例えば、成形型における目地部７に相当する部分に、灰色の着色ゲルコート樹脂３ｄを刷毛を使って塗布し、次に煉瓦部６に相当する部分の一部分にこげ茶色の着色ゲルコート樹脂３ｂや白色の着色ゲルコート樹脂３ｃを刷毛を使って塗布し、全体に茶色の着色ゲルコート樹脂３ａをスプレーガンを使って全面に塗布して、着色ゲルコート樹脂層３を形成する（ステップＳ２）。
【００１８】
次に、着色ゲルコート樹脂層３の上に、充てん剤と硬化剤とを加えながら、ゲルコート樹脂をスプレーガンを用いるか、あるいは手作業で積層させ、ゲルコート樹脂層４を形成する（ステップＳ３）。硬化剤は、ケトンパーオキサイド等を適宜選択して使用する。さらに、ゲルコート樹脂層４の上に、充てん剤と硬化剤とを加えながら、強化繊維樹脂をスプレーガンを用いるか、あるいは手作業で積層させ、脱泡ローラにより、この層内に含まれる気泡を押し潰して除去する。この積層操作を所要の厚さとなるまで繰り返し、強化繊維樹脂層５を形成する（ステップＳ４）。そして常温又は加熱により硬化させ、次いで、シリコンゴム製の成形型をはがすように脱型し（ステップＳ５）、製品として余分な部分を切断するなどの仕上げ処理を施して、図１に示すような建築物装飾品１を得る。
【００１９】
ここで、図３のステップＳ２が本発明の着色ゲルコート樹脂塗布工程に相当し、又、ステップＳ４が本発明の強化繊維樹脂積層工程に相当する。
【００２０】
このように、上記実施形態の建築物装飾品１では、表面が煉瓦模様２に成形されるとともに、表面の着色ゲルコート樹脂層３により煉瓦模様２に合わせて配色が施されている。したがって、建築物の出隅部に取付けた際、外装としての意匠性を高めることができる。
【００２１】
また、上記実施形態の建築物装飾品１では、軽量で低コストな樹脂を使用し、着色ゲルコート樹脂層３と、ゲルコート樹脂層４と、強化繊維樹脂層５とを順に積層して成形している。したがって、強化繊維が露出して表面が乱れることがないため、表面の美観が向上するとともに、耐侯性や強度なども向上できる。又、強化繊維によって、建築物の外装としての耐久性を高めることができる。さらに、軽量で施工に手間がかからず、低コストで建築物の出隅部の外装を施すことができる。
【００２２】
上記実施形態の建築物装飾品１の製造方法では、シリコンゴム製の成形型に所望の色を有した着色ゲルコート樹脂を二種類以上順次塗布して着色ゲルコート樹脂層３を形成し、次に、ゲルコート樹脂層４を積層させ、さらに、ゲルコート樹脂層４の上に、強化繊維を有する強化繊維樹脂層５を積層させ、硬化後シリコンゴム製の成形型から脱型し、建築物の出隅部の外装として用いられる建築物装飾品１を得る。したがって、容易に表面に二色以上の配色を有した建築物装飾品１を製造できる。又、複雑な凹凸を有する煉瓦模様２であっても、シリコンゴム製の成形型であるため変形させることができるので、脱型時にクラックや欠け等の表面異常を防止できる。
【００２３】
ところで、上記実施形態の建築物装飾品１とその製造方法では、建築物の出隅部の外装として用いられるものを示したが、建築物の入隅部の外装として用いられるものも、入隅部の形状に合わせた成形型を用意すれば、同様の製造方法で製造できる。
【００２４】
又、上記実施形態の建築物装飾品１とその製造方法では、建築資材模様として煉瓦模様２を備えたものを示したが、これに特に限定されるものではなく、例えば、木目調の模様に成形し、着色ゲルコート樹脂による配色を木目調の模様に合わして施し、建築物の出隅部または入隅部を木目調に装飾するようにしてもよい。
【００２５】
さらに、上記実施形態の建築物装飾品１とその製造方法では、着色ゲルコート樹脂層３と強化繊維樹脂層５との間にゲルコート樹脂層４を積層した場合を示したが、着色ゲルコート樹脂層３の厚みを増やすことで、ゲルコート樹脂層４を省いて成形することもできる。
【００２６】
【発明の効果】
以上のように、本発明の建築物装飾品は、表面の着色ゲルコート樹脂層によって、表面が二色以上に配色され、建築物の出隅部及び入隅部に取付けた際、外装としての装飾効果を向上させることができる。又、強化繊維が露出して表面が乱れることがないため、表面の美観が向上するとともに、耐侯性や強度なども向上できる。さらに、強化繊維樹脂層によって、外装としての耐久性を向上させることができる。
【００２７】
また、本発明の建築物装飾品は、建築物の出隅部又は入隅部に取付けた際、煉瓦模様になり、装飾効果を向上させることができる。
【００２８】
本発明の建築物装飾品の製造方法は、容易に表面に二色以上の配色を有した建築物装飾品を製造できる。又、複雑な凹凸を有する場合であっても、ゴム製の成形型であるため変形させることができるので、脱型時にクラックや欠け等の表面異常を防止できる。
【図面の簡単な説明】
【図１】本発明の一実施形態である建築物装飾品の構成を示す斜視図である。
【図２】本発明の一実施形態である建築物装飾品の要部の構成を示す断面図である。
【図３】本発明の一実施形態である建築物装飾品の製造方法を示す説明図である。
【符号の説明】
１  建築物装飾品
２  煉瓦模様（建築資材模様）
３  着色ゲルコート樹脂層
５  強化繊維樹脂層
【図１】
0003917394.tif 000002
【図２】
0003917394.tif 000003
【図３】
0003917394.tif 000004